(57)【要約】  【課題】画像読取及び画像記録の精度を低下させることなく、原稿搬送系と記録シート搬送系の部品や機能を共通化することにより装置本体の小型化と低コスト化を実現できるとともに、読取手段の読取面や白色基準などが汚れた場合でも容易にかつ確実に清掃することができる画像読取記録装置を提供する。  【解決手段】搬送方向の上流から分離給送手段６０２、読取手段２８、搬送手段１０、１６、記録手段１、排紙手段１７、１８の順に配置され、分離給送手段と搬送手段との間の搬送路がＵターン反転路９１０で形成され、読取手段がＵターン反転路の途中に配置されるとともに、Ｕターン反転路の外側ガイド部材９０２が開閉可能又は着脱可能であるように構成する。【選択図】                図３
2006270333.tif 000002
【特許請求の範囲】
【請求項１】
記録シートに記録する記録手段と、
原稿を読み取る読取手段と、
前記記録手段又は前記読取手段に記録シート又は原稿を供給するために積載シートの最上位のものから順次給送する分離給送手段と、
記録シート又は原稿を搬送するための搬送手段と、
記録シート又は原稿を排出するための排紙手段とを備え、
搬送方向の上流から分離給送手段、読取手段、搬送手段、記録手段、排紙手段の順に配置され、
前記分離給送手段と前記搬送手段との間の搬送路がＵターン反転路で形成され、
前記読取手段が前記Ｕターン反転路の途中に配置されるとともに、該Ｕターン反転路の外側ガイド部材が開閉可能又は着脱可能であることを特徴とする画像読取記録装置。
【請求項２】
前記読取手段は、原稿を挟んで配置されるコンタクトイメージセンサと白色ローラで構成され、該白色ローラの周速が前記搬送手段の搬送ローラの周速より大きいことを特徴とする請求項１に記載の画像読取記録装置。
【請求項３】
前記Ｕターン反転路の外側ガイド部材を開くか取り外したとき、使用者が前記読取手段の読取面を清掃できることを特徴とする請求項１又は２に記載の画像読取記録装置。
【請求項４】
前記Ｕターン反転路の外側ガイド部材を開くか取り外したとき、使用者が前記読取手段の白色ローラを清掃できることを特徴とする請求項２又は３に記載の画像読取記録装置。
【請求項５】
前記白色ローラと前記搬送ローラの周速の差によって生じる記録シート又は原稿のたるみを吸収するための空間が前記白色ローラと前記搬送ローラの間に設けられることを特徴とする請求項２〜４のいずれか１項に記載の画像読取記録装置。
【発明の詳細な説明】
【技術分野】
【０００１】
本発明は、記録シートに記録する記録手段と原稿を読み取る読取手段とを一体的に備えたファクシミリ等の画像読取記録装置に関する。
【背景技術】
【０００２】
図６は従来の画像読取記録装置の構成をファクシミリを例に挙げて示す模式的縦断面図である。図６において、記録シートＰは記録シート保持部材（記録シートトレイ）３０３上に積載され、記録シート給送ローラ３０４と不図示の分離機構によって１枚ずつファクシミリ３００の装置本体３００Ａ内に供給される。装置本体３００Ａ内に給紙された記録シートＰは、搬送ローラ３０５により記録手段３０６を通して搬送され、記録手段３０６によって画像を記録される。記録された記録シートＰは排紙ローラ３０７によって装置本体外（矢印Ｂ方向）へ排出される。
【０００３】
一方、原稿Ｄは原稿保持部材（原稿トレイ）３０８上に載置され、原稿給送ローラ３０９と分離片３１３からなる分離給送手段のくさび形部分に突き当たる状態でセットされている。画像読取命令によって原稿給送ローラ３０９が回転すると、前記くさび形部分に留められた複数枚の原稿のうち、給送ローラ３０９に接している原稿のみが該給送ローラとの摩擦力により他の原稿から分離されて給送される。分離給送された原稿Ｄは、原稿搬送ローラ３１０及び押圧コロ３１４からなる搬送手段と排紙ローラ３１２及び押圧コロ３１５からなる排紙手段によって搬送され、コンタクトイメージセンサ３１１などの読取手段により画像情報を読み取られ、装置本体３００Ａの外（矢印Ａ方向）へ排出される。
【０００４】
前述のような記録シートに記録する記録手段と原稿を読み取る読取手段とを一体的に備えたファクシミリ等の画像読取記録装置においては、市場の要望等から装置を小型化しようとする場合、記録シートの搬送路と原稿の搬送路を共用させることが考えられる。これによると、例えば、原稿の搬送に用いていた給送ローラ及び排紙ローラ、並びに原稿搬送用の駆動モータ等が削除された構成となる。このような装置構成により、画像読取記録装置の小型化及びコストダウンが実現可能となる。
【０００５】
上記のような共通の搬送路を備えた画像読取記録装置においては、共通の搬送路へ導かれる記録シート及び原稿はそれぞれ別の分離給送手段で給紙してもよいが、小型化のためには同一の分離給送手段により給紙する方が望ましい。また、原稿上の画像情報を読み取るための読取センサは、共通の搬送路上で固定配置することが望ましい。ただし、読取センサを固定配置する場合は、記録動作のときに発生するインクミストの影響を無くしたり、給紙を失敗したときに起きるプラテンへの画像記録を無くすために、読取センサは共通の搬送ローラより手前（上流側）に配置することが望ましい（例えば特許文献１参照）。
【特許文献１】特開平７−１８３９９０号公報
【発明の開示】
【発明が解決しようとする課題】
【０００６】
しかしながら、上記特許文献１に開示されている構成では、記録動作のときに発生するインクミストや、記録シートや原稿からの紙粉などにより読取手段の読取面や白色部材（（白色基準）が汚れた場合に、使用者が汚れた部分を清掃することが困難であった。また、使用者が読取面や白色板を清掃できる構成にしようとすると、装置構成が複雑で大型になったり、コストアップを招くという不都合があった。
【０００７】
本発明はこのような技術的課題に鑑みてなされたものであり、本発明の目的は、画像読取及び画像記録の精度を低下させることなく、原稿搬送系と記録シート搬送系の部品や機能を共通化することにより装置本体の小型化と低コスト化を実現できるとともに、読取手段の読取面や白色基準などが汚れた場合でも使用者が容易にかつ確実に清掃することができる画像読取記録装置を提供することである。
【課題を解決するための手段】
【０００８】
本発明による画像読取記録装置は、上記目的を達成するため、記録シートに記録する記録手段と、原稿を読み取る読取手段と、前記記録手段又は前記読取手段に記録シート又は原稿を供給するために積載シートの最上位のものから順次給送する分離給送手段と、記録シート又は原稿を搬送するための搬送手段と、記録シート又は原稿を排出するための排紙手段とを備え、搬送方向の上流から分離給送手段、読取手段、搬送手段、記録手段、排紙手段の順に配置され、前記分離給送手段と前記搬送手段との間の搬送路がＵターン反転路で形成され、前記読取手段が前記Ｕターン反転路の途中に配置されるとともに、該Ｕターン反転路の外側ガイド部材が開閉可能又は着脱可能であることを特徴とする。
【発明の効果】
【０００９】
本発明の画像読取記録装置によれば、搬送方向の上流から分離給送手段、読取手段、搬送手段、記録手段、排紙手段の順に配置され、前記分離給送手段と前記搬送手段との間の搬送路がＵターン反転路で形成され、前記読取手段が前記Ｕターン反転路の途中に配置されるとともに、該Ｕターン反転路の外側ガイド部材が開閉可能又は着脱可能である構成とするので、画像読取及び画像記録の精度を低下させることなく、原稿搬送系と記録シート搬送系の部品や機能を共通化することにより装置本体の小型化と低コスト化を実現できるとともに、読取手段の読取面や白色基準などが汚れた場合でも使用者が容易にかつ確実に清掃することができる画像読取記録装置が提供される。
【発明を実施するための最良の形態】
【００１０】
以下、図面を参照して本発明の実施形態を具体的に説明する。なお、各図面を通して同一符号は同一又は対応部分を示すものである。本実施形態に係る画像読取記録装置は、記録媒体としての記録シートに画像を記録する記録機能と原稿の画像を読み取る読取機能とを有し、記録シート及び原稿に共通の搬送路に記録機能を有する記録部と読取機能を有する読取部とが配置されている装置である。図１は本発明による画像読取記録装置の一実施形態の構成を示す模式的縦断面図である。図２は図１の画像読取記録装置を右側上部から見た模式的斜視図である。図３は図１の画像読取記録装置においてＵターン反転路の外側ガイド部材を開いた状態を示す模式的縦断面図である。
【００１１】
先ず、図１〜図３を参照して全体構成について説明する。図１〜図３において、記録部４６のシャーシ７にはガイドレール７ａが設けられ、記録手段である記録ヘッド（本実施形態ではインクジェットカートリッジ）１を搭載したキャリッジ４は前記ガイドレール７ａに沿って装置幅方向に往復移動（主走査）可能に案内支持されている。シャーシ７の背面には、装置全体の制御を行うための制御基板５００が装着されている。図５は図１の画像読取記録装置の制御基板５００及び該基板に接続された各機能部を示すブロック図である。図５において、制御基板５００は、不図示のケーブルによって、シート（記録シート及び原稿）を搬送するための駆動モータ２０、キャリッジ駆動モータ３３（図２）、不図示のスピーカ、操作部５０８、画像の読み取りを行う読取手段２８、電源５０５、電話機５０６、及び回線接続用ＮＣＵ５０４などと接続されている。
【００１２】
図１〜図３において、本装置の底面部には、記録シート２及び原稿１２を積載するためのベース部材３５と、積載された記録シートを後述する給送ローラ１９に当接させるための圧板９と、積載された記録シートの上面を覆うとともに原稿１２を積載するためのカセットフタ９００と、記録シート及び原稿を分離給送するための分離給送手段（分離給送部）６０２が設けられている。分離給送部６０２は、給送ローラ１９が図１中の矢印Ａ方向に回転することで、原稿１２又は記録シート２の最上位のものから順次分離して読取部２８及び記録部４６へ向けて送り出すものである。
【００１３】
給送ローラ１９の周面に圧接されて従動回転するリタードローラ１０３が配設されている。このリタードローラ１０３は、最上位以外のシート（原稿１２又は記録シート２）に対するブレーキ部材として機能するものである。つまり、このリタードローラ１０３は、不図示のトルクリミッタと協働して、最上位のシートのみが給送されるときは矢印Ｂ方向に回転又は停止し、最上位以外のシートも同時に給送されようとすると矢印Ｂと反対方向に回転又は停止することにより、最上位のシートのみを分離給送するように作動するものである。なお、本実施形態では、上記ブレーキ部材として上記トルクリミッタを内蔵したローラを使用したが、このブレーキ部材としては、ゴム等の摩擦材からなる分離部材を使用しても良い。
【００１４】
記録シート２及び原稿１２は、圧板９に着脱可能に取付けられたカセットフタ９００により互いに隔てられて積載されており、このカセットフタ９００はセパレータとして機能するものである。本実施形態では、原稿１２がカセットフタ９００の上面に積載されている。分離給送手段６０２によって分離給送された記録シート２又は原稿１２は、先ず読取部２８に達する。読取部２８を通過した記録シート２又は原稿１２は、搬送ローラ１０と複数（例えば４個）のピンチローラ１６からなる搬送手段によって挟持搬送され、記録部４６へ達する。記録又は読取を終了した記録シート２又は原稿１２は、排紙ローラ１７と拍車１８からなる排紙手段によって装置本体外へ排出される。
【００１５】
次に、図５を参照して、各部を駆動制御する制御系について説明する。図５において、５００ａは主に制御基板５００（図１、図３）上に実装される制御部である。この制御部５００ａは、ＡＣ商用電源を整流し装置全体に電力を供給する電源５０５、電話機５０６及び回線を接続するＮＣＵ基板５０４、操作部５０８から入力した内容等を表示する表示部５０９、原稿１２を読み取る読取部２８、搬送手段や分離給送手段の駆動原稿である駆動モータ２０、キャリッジ４を駆動するキャリッジモータ３３（図１〜図３）等と接続されている。モジュラーは、ＮＣＵ基板５０４に実装されている。
【００１６】
制御部５００ａは、装置全体の制御を行うＣＰＵ５００ｈと、各種プログラムや各種データ等を格納したＲＯＭ５００ｆと、ＣＰＵ５００ｈのワークエリアとして使用されるとともに記録枚数等の各種データの一時保存を行うＲＡＭ５００ｇ等を有する。ラインメモリ５００ｂは画像データの各ラインのイメージを格納するものであり、原稿画像の送信（転送）又は複写（コピー）の場合には読取部２８からの１ライン分のイメージデータが格納され、画像データの受信の場合は復合された１ライン分のイメージデータが格納される。そして、ラインメモリ５００ｂに格納された各種データを後述する記録手段に出力することによって画像記録が行われる。
【００１７】
制御部５００ａに設けられた符号化／復合化部５００ｃは、送信する画像情報をＭＨ符号化等により符号化し、受信した符号化画像データを復合化してイメージデータに変換する。バッファメモリ５００ｄには、送受信された符号化画像データが格納される。本実施形態では、駆動モータ２０として定電流型のパルスモータが使用されている。駆動モータ２０の駆動は、ＣＰＵの出力ポートからの信号をモータドライバ５００ｊによって相信号に変換し、この相信号を該駆動モータに伝達することにより行われる。
【００１８】
本実施形態では、記録シート２を分離給送し搬送する動作、原稿１２を分離給送すると同時に読取部２８を通して該原稿を移動させる（搬送する）読取動作、並びに、記録ヘッド１の画像形成機能を正常状態に維持回復するためのヘッド回復動作は、同一の駆動モータ２０により行われている。すなわち、駆動モータ２０が正転するときの駆動は不図示の駆動切替手段によって記録駆動手段６０３及び読取駆動手段６０４のいずれかに伝達され、駆動モータ２０が逆転するときの駆動はワンウエイクラッチ等の一方向伝達手段を介してヘッド回復手段６０５（図５）へ伝達される。上記記録駆動手段６０３に伝達された駆動は更に記録シート２の給送搬送機構へ伝達され、上記読取駆動手段６０４に伝達された駆動は更に原稿１２の給送搬送機構へ伝達される。
【００１９】
ただし、記録シート２の搬送には１ライン毎の高い送り精度を必要とすることから、読取動作で必要な駆動トルクと記録動作及び回復動作で必要な駆動トルクとでは、その値が異なる。そこで、読取動作に入る際に、ＣＰＵ５００ｈのポートから切り替え回路５００ｉに対してＨｉｇｈ信号（切り替え信号）を送ってドライバ５００ｊへのリファレンス電流値を変えることで、駆動モータ２０のピーク電流を切り替えている。これによって、同一の駆動モータ２０を共用することによるコストダウンと、必要トルクに合わせて電流をコントロールすることによる静音化が可能となる。
【００２０】
制御部５００ａには、更に、シート（記録シート及び原稿）の先後端を検知するためのＰＥＳ（Ｐａｐｅｒ  Ｅｄｇｅ  Ｓｅｎｓｏｒ、紙端センサ）２１と、給送ローラ１９の回転位相を検出する不図示のＲＰＳ（Ｒｏｌｌｅｒ  Ｐｏｓｉｔｉｏｎ  Ｓｅｎｓｏｒ）と、原稿の有無を検知する不図示のＤＳ（Ｄｏｃｕｍｅｎｔ  Ｓｅｎｓｏｒ）が設けられている。
【００２１】
次に、図１を参照して記録手段について説明する。記録手段である記録ヘッド１は、搬送ローラ１０もしくは排紙ローラ１７で搬送される記録シート２に画像を記録するものである。本実施形態では、記録手段として、画像データに基づいて、吐出面に配列された複数の吐出口から選択的にインクを吐出して記録するインクカートリッジからなる記録ヘッド１が使用されている。この記録ヘッド１により記録シート２の上面に画像が形成される。また、記録ヘッド１は、複数の微細な吐出口（ノズル）、各吐出口に通じる液路、各液路の一部に配置されたエネルギー作用部、各エネルギー作用部に液滴吐出エネルギーを発生させるためのエネルギー発生手段を備えている。
【００２２】
このようなインクジェット式の記録手段を用いる構成は、小型化及びランニングコストなどの面で有利である。ただし、インク滴の吐出に伴って発生するインクミスト（霧状微細インク滴）により記録ヘッド１の周辺にインクが付着する可能性があるため、レイアウトの設計には注意が必要である。本実施形態においては、インクミストによる不都合を回避するために、読取部２８を構成するコンタクトイメージセンサ（ＣＳともいう）２２は、搬送ローラ１０の上流側であって、シャーシ７により飛散インクから遮断された位置に配設されている。このため、上記のインクミストに対する懸念を無くすことができる。また、読取部２８は記録部４６における記録シート２の画像形成面から搬送方向上流側に離間しているので、記録部４６において紙ジャム等が生じても未定着インクがＣＳ２２の読取面や白色ローラ（白基準）９０１に付着するトラブルを回避することができる。
【００２３】
微細な吐出口からインクを吐出して記録するインクジェット記録装置においては、吐出口内方への気泡や塵埃の混入、あるいはインク溶剤の蒸発に伴うインクの増粘や固着に起因して吐出不良による画質劣化の可能性がある。そこで、本実施形態においては、吐出不良の要因を除去するために、吐出口内のインクをリフレッシュしたり、吐出口周辺部を清浄化するためのヘッド回復手段６０５（図５）が設けられている。
【００２４】
次に、キャリッジ４に搭載された記録ヘッド１によって記録シート２に画像を記録する記録部４６について説明する。図１〜図３において、キャリッジ４は、記録ヘッド１を搭載して記録シート２の幅方向に走査するものであり、装置本体の幅方向に互いに平行に設置されたガイド軸６０及びガイドレール７ａに沿って往復移動可能に案内支持されている。このキャリッジ４は、キャリッジ駆動モータ３３により、プーリ（不図示）に掛け渡された無端ベルト状のタイミングベルトを介して往復駆動される。こうして、キャリッジ４上の記録ヘッド１によって記録シート２を主走査しながら画像を記録していく。この場合の記録は、キャリッジ４の移動に同期して画像データに基づいて記録ヘッド１を駆動することにより行われる。
【００２５】
１ライン分の記録が終了すると記録シート２を搬送方向（副走査方向）に所定量だけ紙送りし、次いで、再びキャリッジ４の移動に同期して記録ヘッド１を駆動することで次の１ライン分の画像を記録していく。以下、１ライン分の記録と所定ピッチの紙送りを交互に繰り返すことにより記録シート２の全体の記録が行われる。記録シート２の紙送り（搬送）は、駆動モータ２０に駆動連結される搬送ローラ１０を所定量回転させることにより行われる。もしなんらかの理由（例えばモータの単品不良）により搬送ローラ１０の回転量が不安定になると、画像中に回転量オーバーによる白抜け部が生じたり、回転量不足による前ラインとの重ね打ち（黒い筋）が生じたりして画質劣化の原因となる。そのため、搬送ローラ１０の搬送量（回転量）には高い精度が要求される。
【００２６】
通常、キャリッジ４の待機位置（図２の位置）はガイドレール７ａの右端部に選定され、この待機位置では、吐出口周辺が乾燥しないように記録ヘッド１の吐出面をゴム状弾性体からなるキャップでキャッピングすることが行われる。また、読取動作の際にもキャリッジ４は待機位置に停止している。インクカートリッジ（記録ヘッド）１のインクが無くなった場合の交換は、図２に示すキャッピングポジションでインクカートリッジ１を手前側に取り外すことで行う。
【００２７】
次に、記録シート２及び原稿１２を１枚ずつに分離して給送する分離給送手段６０２について説明する。図１〜図３において、シート積載部にはベース部材３５が設けられ、該ベース部材に設けられた給紙トレイ８上には複数枚の記録シート２が積載されている。シート積載部の前記ベース部材３５の前端部には、複数枚のシートのうちの最上位のものだけを分離して給送するための給送ローラ（ピックアップローラ）１９が配設されている。給送ローラ１９はプラスチックで成型された軸部材１９ｂの１箇所に形成された該軸部材より大径の円筒部にゴム状弾性材の摩擦弾性体１９ａを取付けて構成されている。
【００２８】
上記軸部材の両端部は装置本体に軸支され、その一端は記録駆動伝達手段６０３（図５）と搬送ローラ１０を介して駆動モータ２０（図５）に駆動連結されている。圧板９は給送ローラ１９とベース部材３５との間に位置するとともにベース部材３５に回動自在に軸支されている。この圧板９は、給送ローラ１９と一体に形成されたカムによって、該給送ローラの回転（図１中の矢印Ａ方向）に伴って該給送ローラの外周面と接触、離反するように駆動可能に構成されている。記録シート２の給送動作は、ベース部材３５の右側面を基準として行われる。また、前記給送ローラ１９の摩擦弾性体１９ａは原稿１２の幅方向の略中心に配置されている。
【００２９】
給送ローラ１９はＤ字状の断面形状をしている。給送ローラ１９は図１に示す待機状態でＤ字状の切り欠き部が記録シート２又は原稿１２と対面する位置に停止している。駆動モータ２０の駆動が搬送ローラ１０を介して記録駆動手段６０３（図５）に伝達されると、分離給送手段６０２の給送ローラ１９が回転する。すると、給送ローラ１９の摩擦弾性体１９ａに接触したシート（記録シート２又は原稿１２）はリタードローラ１０３でせき止められるが、該給送ローラ（摩擦弾性体１９ａ）に直接接した最上位のシートのみが、該給送ローラとの間の摩擦力により分離されてリタードローラ１０３の対向部を乗り越えて送り出される（給送される）。
【００３０】
給送ローラ１９が１回転した後、再び、円周から退避した切り欠き部（Ｄカット部）が記録シート又は原稿と対面するとともに、圧板９が該給送ローラと一体のカムによって押し下げられることで待機状態に戻る。このため、搬送ローラ１０により記録シート２又は原稿１２を搬送しているとき、該記録シート又は該原稿が給送ローラ１９と接触することはない。これによって、記録シート２は、バックテンション等の影響を受けることなく、搬送ローラ１０により高精度で搬送することができる。なお、分離給送動作を開始しても記録シート２がＰＥＳ（ペーパーエッジセンサ、紙端センサ）２１及びＰＥＳレバー２１ａに到達しない場合は、再度分離給送動作を実行する。それでもＰＥＳがオンにならない場合には、記録シート２又は原稿の搬送動作がエラーストップし、表示部５０９にエラー表示される。
【００３１】
次に、図１及び図２を参照して記録シート２の搬送手段について説明する。図１〜図３において、分離給送手段６０２と搬送手段１０、１６の間のシート搬送路は円弧状のＵターン反転路９１０で形成されており、このＵターン反転路９１０の途中に読取手段２８が配置されている。Ｕターン反転路９１０の外側ガイド部材９０２は開閉可能であり、図１に示す閉じ位置（使用状態）と図３に示す開放位置との間で回動可能に取り付けられている。なお、この外側ガイド部材９０２は着脱可能（取り外し可能）に取り付けても良い。圧板９上に積載された複数枚の記録シート２の最上位の記録シートは、給送ローラ１９及びリタードローラ１０３からなる分離給送手段６０２により分離給送され、Ｕターン反転路９１０を形成する外側ガイド部材９０２に案内されながら給送（又は搬送）される。
【００３２】
このとき、給送される記録シート２は、読取手段２８のＣＳ（コンタクトイメージセンサ）２２と白色ローラ９０１との間に導入されるとともに、この間を通して給送される。Ｕターン反転路９１０に沿って案内（給送）された記録シート２は、記録シート搬送路の下側支持面として機能するプラテン３の上面に沿って搬送される。すなわち、記録部４６へ給送される記録シート２は、プラテン３に軸支された搬送ローラ１０と該搬送ローラに押圧されるピンチローラ１６との間のニップ部に挟持されることで該搬送手段１０、１６によって搬送される。搬送される記録シート２は、プラテン３の上方に配置された記録ヘッド１により、その上面に画像を記録される。記録された記録シート２は排紙ローラ１７と複数の拍車１８とからなる排紙手段のニップ部にも挟持されて搬送され、装置本体外へ排出される。
【００３３】
前記ピンチローラ１６は、搬送ローラ１０に当接するようにシート幅方向に配列された複数（例えば４個）のローラで構成されている。各ピンチローラ１６は、ピンチローラガイド３６に軸支され、該ピンチローラガイドをばね付勢することで搬送ローラ１０に圧接するように構成されている。前記排紙ローラ１７はプラスチックとエラストマー等を一体成型したものである。前記拍車１８は拍車ホルダ５５に軸支され、該拍車ホルダをばね付勢することで排紙ローラ１７に押し付けられている。また、プラテン３の記録シート支持面には、搬送方向に延びる複数のリブがシート幅方向に並列状態で形成されている。記録動作等に際し記録シート２を搬送するときには、該記録シートは前記リブの上面に沿って案内される。
【００３４】
搬送ローラ１０とピンチローラ１６による搬送方向は上流側から下流側に向けて斜め下方向に設定されており、また排紙ローラ１７と拍車１８による搬送方向は上流側から下流側に向けて斜め上方向に設定されている。これにより、搬送手段１０、１６による記録シート２の搬送（図１中の矢印Ｐ方向）は、該記録シートをプラテン３の記録シート支持面（上面）に当接させながら、浮きやバタツキを生じることなく安定した状態で高精度で行うことができる。
【００３５】
記録動作は、キャリッジ４の主走査移動に同期して、記録ヘッド１を画像情報に応じて駆動することにより行われる。本実施形態のように記録ヘッド１がインクジェット式である場合は、記録ヘッド１の吐出面に形成された複数の吐出口から画像情報に応じて選択的にインク滴を吐出させることで画像記録が行われる。この記録動作は、圧板９（記録シートトレイ８）に積載された複数枚の記録シートの最上位のものから１枚ずつ順次分離給送し、記録ヘッド１の下側（プラテン３の上側）を通して搬送する間に行われる。この場合、積載最上位の記録シートから順次、該記録シートの上面に記録され、記録された面を上にした状態で順次排出されて排紙トレイ等の上に積載される。
【００３６】
次に読取手段２８の構成及び読取動作について説明する。読取部２８は、ＣＳ（コンタクトイメージセンサ）２２、白色ローラ（白色基準）９０１、ＣＳホルダ２６から構成されている。白色ローラ９０１は、Ｕターン反転路９１０の外側ガイド部材９０２の内面に形成された凹部９０２ａ内に回動自在に軸支されている。一方のＣＳ２２は、装置本体側に設けられたＣＳホルダ２６に保持されている。そして、白色基準としての白色ローラ９０１は、ＣＳ２２の読取面（センサ面）２２ａに当接するように配置され、分離給送部６０２から給送されるシート（記録シート２又は原稿１２）は該白色ローラ９０１と該ＣＳ２２（その読取面２２ａ）との間を通して搬送される。
【００３７】
そこで、Ｕターン反転路９１０の外側ガイド部材９０２は、装置本体に対して回動自在に軸支されており、図１に示す閉じ位置（使用位置）と図３に示す開放位置との間で回動操作することができる。この外側ガイド部材９０２は、装置本体に対して回動可能に軸支する代わりに、装置本体に対して着脱可能（又は着脱自在）に設けても良い。このような構成によれば、使用者が装置内で起きた記録シート２又は原稿１２のジャム（紙詰まり）を解除するとき、あるいはＣＳ（コンタクトイメージセンサ）２２の読取面（センサ面）２２ａに付着した汚れや白色ローラ９０１に付着した汚れを除去すべくこれらを清掃するとき、前記外側ガイド部材９０２を回動させて開放することにより容易にかつ確実に作業することができる。
【００３８】
すなわち、図３のように外側ガイド部材９０２を開放した状態にすれば、使用者はＣＳ２２の読取面２２ａ及び白色ローラ９０１の表面（白色面）にアクセス可能となり、これらに付着した紙粉等による汚れを容易に清掃することができる。従って、読取面２２ａや白色ローラ９０１に紙粉やインク等の異物が付着して黒線や白線等の読取画像の劣化が起こるような場合でも、該読取面や該白色ローラを容易にかつ確実に清掃することができ、読取画像の劣化を無くす（解消）することができる。
【００３９】
図１において、記録ヘッド１により記録シート２に形成される記録画像の画質を確保するためには、搬送ローラ１０及びピンチローラ１６からなる搬送手段の搬送精度を高く維持する必要がある。この高精度の搬送動作を行うために、本実施形態では、白ロ−ラ９０１の周速は搬送ロ−ラ１０の周速より速く設定されている。そのため、記録シート２又は原稿１２が白色ロ−ラ９０１と搬送ロ−ラ１０の両方で搬送されているとき、該記録シート又は該原稿にシートのたるみ（ループ）が発生する。このたるみが生じた状態が図１中の２ａ、１２ａで示されている。
【００４０】
本実施形態では、記録シート２及び原稿１２はＵターン反転路９１０の外側ガイド部材９０２によって搬送方向を変えられ、搬送方向を変えられた部分（Ｕターン反転路９１０の終端部）とプラテン３の上流側端部（受け渡し部）との間に空間９１１が設けられている。このため、記録シート２又は原稿１２の上記たるみ（ループ）は、常に図１中の２ａ、１２ａで示すような方向及び状態となる。このようなループを形成させることにより、画像形成時には搬送ロ−ラ１０の周速で画像品質を決定することができ、画像読取時には白色ロ−ラ９０１の周速で画像品質を決定することができるようになる。つまり、量産時の加工ばらつき等により白色ローラ９０１や搬送ローラ１０の周速にばらつきが生じる場合でも、上記たるみ２ａ、１２ａによってこのばらつきを吸収することができ、たるみ量（ループ量）が変動するだけで、該ばらつきによる上記画像品質への影響を阻止することができる。
【００４１】
図４は図１の画像読取記録装置において読取手段のコンタクトイメージセンサと白色ローラの位置を逆にした第２の実施形態を示す模式的縦断面図である。図４において、白色ロ−ラ９０１は装置本体側に回動自在に軸支され、ＣＳ（コンタクトイメージセンサ）２２はＵターン反転路９１０の外側ガイド部材９０２の内面に固定されたＣＳホルダ２６内に保持されている。ＣＳ２２の読取面２２ａは白色基準としての白色ローラ９０１に当接するように配置され、分離給送部６０２から給送されるシート（記録シート２又は原稿１２）は該ＣＳ２２（その読取面２２ａ）と該白色ローラ９０１との間を通して搬送される。
【００４２】
そして、Ｕターン反転路９１０の外側ガイド部材９０２は、装置本体に対して回動自在に軸支されており、図４に示す閉じ位置（使用位置）と不図示の開放位置との間で回動操作することができる。この外側ガイド部材９０２は、装置本体に対して回動可能に軸支する代わりに、装置本体に対して着脱可能（又は着脱自在）に設けても良い。図４の第２の実施形態のそれ以外の構成は、前述の第１の実施形態の場合と実質的に同じであり、それぞれ対応する部分を同一符号で示し、それらの詳細説明は省略する。
【００４３】
図４の第２の実施形態によっても、使用者が装置内で起きた記録シート２又は原稿１２のジャム（紙詰まり）を解除するとき、あるいはＣＳ（コンタクトイメージセンサ）２２の読取面（ガラス面）２２ａに付着した汚れや白色ローラ９０１に付着した汚れを除去すべくこれらを清掃するとき、第１の実施形態の場合と同様に前記外側ガイド部材９０２を回動させて開放することにより容易にかつ確実に作業することができる。すなわち、本実施形態においても、外側ガイド部材９０２を開放した状態にすれば、使用者はＣＳ２２の読取面２２ａ及び白色ローラ９０１の表面（白色面）にアクセス可能となり、これらに付着した紙粉等による汚れを容易に清掃することができる。従って、読取面２２ａや白色ローラ９０１に紙粉やインク等の異物が付着して黒線や白線等の読取画像の劣化が起こるような場合でも、該読取面や該白色ローラなどを容易にかつ確実に清掃することができ、読取画像の劣化を無くす（解消）することができる。
【００４４】
以上説明した各実施形態によれば、搬送方向の上流から分離給送手段６０２、読取手段２８、搬送手段１０、１６、記録手段１、排紙手段１７、１８の順に配置され、前記分離給送手段と前記搬送手段との間の搬送路がＵターン反転路９１０で形成され、前記読取手段が前記Ｕターン反転路の途中に配置されるとともに、該Ｕターン反転路の外側ガイド部材９０２が開閉可能又は着脱可能である構成としたので、画像読取及び画像記録の精度を低下させることなく、原稿搬送系と記録シート搬送系の部品や機能を共通化することにより装置本体の小型化と低コスト化を実現できるとともに、読取手段の読取面や白色基準などが汚れた場合でも使用者が容易にかつ確実に清掃することができる画像読取記録装置が提供される。
【００４５】
また、読取手段２８は、原稿を挟んで配置されるコンタクトイメージセンサ２２と白色ローラ９０１で構成され、該白色ローラの周速が搬送手段の搬送ローラ１０の周速より大きくなるように構成するので、画像読取は白色ローラによる搬送に依存させ、画像記録は搬送ローラ１０に依存させることができ、それぞれの搬送精度を高めることで画像読取及び画像記録の精度を高めることができる。
【００４６】
さらに、白色ローラ９０１と搬送ローラ１０の周速の差によって生じる記録シート２又は原稿１２のたるみを吸収するための空間９１１が白色ローラ９０１と搬送ローラ１０の間に設けられる構成とするので、Ｕターン反転路９１０との相乗効果として、たるみ（ループ）の方向を一定にすることで、量産時の加工ばらつき等により白色ローラ９０１や搬送ローラ１０の周速にばらつきが生じる場合でも、たるみ量（ループ量）が変動するだけで、該ばらつきによる読取画像や記録画像の品質への影響を無くすことができる。
【００４７】
なお、前述の実施形態では、記録部がキャリッジに搭載した記録ヘッドで記録するシリアルタイプである場合を例に挙げて説明したが、本発明は、フルラインヘッド等からなるラインタイプの記録手段を用いる画像読取記録装置など、他の記録形態の画像読取記録装置に対しても同様に適用できるものであり、同様の作用効果を奏するものである。また、前述の実施形態では、記録部がインクジェット式である場合を例に挙げて説明したが、本発明は、熱転写式、感熱式、レーザビーム照射式、ワイヤドット式など、記録方式の如何に関わらず適用可能なものであり、同様の作用効果を奏するものである。
【００４８】
また、本発明は、記録手段（記録ヘッド）の構造や数にも関係なく、同様に適用することができ、同様の効果を達成し得るものである。さらに、本発明に係る画像読取記録装置は、装置単体のみならず、複写機、ファクシミリ、撮像画像形成装置などを組み合わせた複合装置における画像読取記録装置、さらにはコンピュータシステムなどの複合装置の入出力機器としての画像読取記録装置など、画像情報の読取や記録を行う装置に対して広く適用可能であり、同様の作用効果を奏するものである。
【図面の簡単な説明】
【００４９】
【図１】本発明による画像読取記録装置の一実施形態の構成を示す模式的縦断面図である。
【図２】図１の画像読取記録装置を右側上部から見た模式的斜視図である。
【図３】図１の画像読取記録装置においてＵターン反転路の外側ガイド部材を開いた状態を示す模式的縦断面図である。
【図４】図１の画像読取記録装置において読取手段のコンタクトイメージセンサと白色ローラの位置を逆にした参考例を示す模式的縦断面図である。
【図５】図１の画像読取記録装置の制御基板及び該基板に接続された各機能部を示すブロック図である。
【図６】従来の画像読取記録装置の構成をファクシミリを例に挙げて示す模式的縦断面図である。
【符号の説明】
【００５０】
１        記録手段（記録ヘッド、インクカートリッジ）
２        記録シート（記録媒体、シート）
２ａ      記録シートのたるみ（ループ）
３        プラテン
４        キャリッジ
７        シャーシ
７ａ      ガイドレール
８        給紙トレイ
９        圧板
１０      搬送ローラ（搬送手段）
１２      原稿（シート）
１２ａ    原稿のたるみ（ループ）
１６      ピンチローラ（搬送手段）
１７      排紙ローラ（排紙手段）
１８      拍車（排紙手段）
１９      給送ローラ
１９ａ    摩擦弾性体
１９ｂ    軸部材
２０      駆動モータ
２１      ＰＥＳ（ページエッジセンサ）
２２      ＣＳ（コンタクトイメージセンサ）
２２ａ    読取面（センサ面）
２６      ＣＳホルダ
２８      読取手段（読取部）
３３      キャリッジモータ
４６      記録部
１０３    リタードローラ
５００    制御基板
５００ａ  制御部
６０２    分離給送手段（分離給送部）
６０３    記録駆動伝達手段
６０４    読取駆動伝達手段
９００    カセットフタ（セパレータ）
９０１    白色ローラ（白色基準）
９０２    外側ガイド部材
９０２ａ  凹部
９１０    Ｕターン反転路
９１１    空間
Ｐ        搬送方向
【図１】
2006270333.tif 000003
【図２】
2006270333.tif 000004
【図３】
2006270333.tif 000005
【図４】
2006270333.tif 000006
【図５】
2006270333.tif 000007
【図６】
2006270333.tif 000008